(57)【要約】      （修正有）【課題】手指を傷つけるおそれがなく、子供等でも安全に操作できる缶潰し機を提供する。【解決手段】缶潰し機１００は、架台１０と、受台２０と、押圧具３０と、足踏み式レバー４０と、缶投入シュート５０と、蓋装置６０と、缶分別装置７０と、表示手段８０とを有する。蓋装置６０は、缶受入口５１を開閉する蓋６１と、缶投入路５２を開閉する缶投入ゲート６２とを備え、蓋６１と缶投入ゲート６２との間に外界から供給される空き缶を受入れる缶受入スペースＡを形成し、蓋６１が缶受入口５１を外界に対して開放しているとき、缶投入ゲート６２が缶投入路５２を受台２０の側に対して閉鎖する。【選択図】図１
0003231206.tif 000002
【実用新案登録請求の範囲】
【請求項１】
架台の内部に設置された受台と、
前記架台に設けられた足踏み式レバーに加える足踏み操作力により駆動されるように、前記架台の内部に配設された押圧具と、
前記架台の外界に臨む缶受入口を備え、前記缶受入口に受入れた空き缶を前記受台に投入可能にする缶投入路を備える缶投入シュートと、
前記缶投入シュートの前記缶受入口及び前記缶投入路を開閉する蓋装置とを有し、
前記空き缶が前記蓋装置により外界に対して開かれた前記缶投入シュートの前記缶受入口及び前記缶投入路を経て前記受台に投入され、前記空き缶が前記足踏み式レバーにより駆動される前記押圧具によって該受台との間で押し潰される缶潰し機であって、
前記蓋装置は、前記缶受入口を開閉する蓋と、前記缶投入路を開閉する缶投入ゲートとを備え、前記蓋と前記缶投入ゲートとの間に外界から供給される前記空き缶を受入れる缶受入スペースを形成し、
前記蓋が前記缶受入口を外界に対して開放しているとき、前記缶投入ゲートが前記缶投入路を前記受台の側に対して閉鎖する、
缶潰し機。
【請求項２】
前記缶受入スペースに供給された前記空き缶が、前記蓋と前記缶投入ゲートの閉じ方向への移動下で、前記缶投入シュートの前記缶受入口乃至前記缶投入路に沿って移送されるとき、前記缶投入ゲートは前記缶投入シュートの少なくとも前記缶受入口寄りの内部に位置し、
前記蓋と前記缶投入ゲートの閉じ方向への更なる移動下で、前記缶投入ゲートが前記缶投入路を開き、前記空き缶が前記缶投入路から前記受台の側へ投入されるとき、前記蓋は前記缶受入口を閉じる、
請求項１に記載の缶潰し機。
【請求項３】
前記蓋と前記缶投入ゲートの開き方向への移動下で、前記缶受入口を閉じていた前記蓋が前記缶投入シュートの前記缶受入口に到達するとき、前記缶投入ゲートは前記缶投入シュートの少なくとも前記缶投入路の内部に到達し、
前記蓋の開き方向への更なる移動下で、前記蓋が前記缶投入シュートの前記缶受入口を外界に対して開放し、前記缶受入スペースに前記空き缶を受入れ可能にするとき、前記缶投入ゲートは前記缶投入シュートの内部に位置して前記缶投入路を閉じ続ける、請求項１又は２に記載の缶潰し機。
【請求項４】
前記蓋装置の前記蓋と前記缶投入ゲートは前記架台に設けた共通支軸に枢支されて互いに同一回転半径をもち、
前記缶投入シュートは、前記蓋と前記缶投入ゲートの各先端部が小隙間を介して回動し得る円弧状の前記缶投入路を備えるとともに、前記缶受入口を経て前記缶投入路の内部に侵入してくる前記蓋の先端部に設けた取手の付根部が遊挿されて移動できるスリットを備える、請求項１乃至３のいずれかに記載の缶潰し機。
【請求項５】
前記受台上で押し潰された前記空き缶を複数の払出し先のいずれかへと選択的に払い出し、該空き缶を分別可能にする缶分別装置を有する、請求項１乃至４のいずれかに記載の缶潰し機。
【請求項６】
前記缶分別装置は、前記受台上で押し潰された前記空き缶を中立位置で受け入れる払出し具を備え、前記払出し具をハンドル操作により中立位置から所望の払出し先に応ずる所定の払出し作業位置へと切換え設定可能にする、請求項５に記載の缶潰し機。
【請求項７】
前記缶分別装置は、前記払出し具が中立位置にあることを示す確認手段を有する、請求項６に記載の缶潰し機。
【請求項８】
前記缶分別装置の前記払出し具が中立位置に設定されていないときには、前記足踏み式レバーを足踏み操作不能にする手段を有してなる、請求項６又は７に記載の缶潰し機。
【請求項９】
前記足踏み式レバーの足踏み操作により一定個数の前記空き缶が押し潰される度に、情報を表示する表示手段を有してなる、請求項１乃至８のいずれかに記載の缶潰し機。
【請求項１０】
前記押圧具は、前記受台上に投入された横置き姿勢の前記空き缶の缶胴の中央部分を押し潰す第１押圧具と、前記第１押圧具により中央部分を押し潰された前記空き缶の該中央部分の両側で互いにハの字状をなすように傾いた上蓋部分と底蓋部分を更に押し潰す第２押圧具とを有して構成される、請求項１乃至９のいずれかに記載の缶潰し機。
【請求項１１】
前記押圧具が、前記受台上に投入された縦置き姿勢の前記空き缶を缶胴の中心軸方向に沿って押し潰す、請求項１乃至９のいずれかに記載の缶潰し機。
【考案の詳細な説明】
【技術分野】
【０００１】
本考案は、缶潰し機に関する。
【背景技術】
【０００２】
週末や連休の高速道路のサービスエリア、道の駅等の自販機の周辺に回収できていない空き缶が散乱している。このような空き缶は、歩行者（特に高齢者や身体の不自由な方）が転んだりする危険を招いたり、また、車道に転がりだして、自転車、バイク、自動車等がハンドルを取られて事故を惹き起こす原因になるおそれがある。
【０００３】
従来、空き缶を回収して減容化処理し（空き缶の容積を１／２乃至１／３等に低減する）、回収作業効率を向上するための缶潰し機として、特許文献１に記載の如く、架台の内部に設置された受台と、架台に設けられた足踏み式レバーに加える足踏み操作力により駆動されるように、架台の内部に配設された押圧具と、架台の外界に臨む缶受入口を備え、缶受入口に受入れた空き缶を受台に投入可能にする缶投入路を備える缶投入シュートと、缶投入シュートの缶受入口及び缶投入路を開閉する蓋装置とを有してなるものがある。
【０００４】
この缶潰し機では、空き缶が蓋装置により外界に対して開かれた缶投入シュートの缶受入口及び缶投入路を経て受台に投入され、空き缶が足踏み式レバーにより駆動される押圧具によって該受台との間で押し潰される。
【先行技術文献】
【特許文献】
【０００５】
【特許文献１】特開平９−２４４９５号公報
【考案の概要】
【考案が解決しようとする課題】
【０００６】
しかしながら、従来の缶潰し機は、蓋装置の蓋が缶投入シュートの缶受入口を外界に対して開放し、空き缶を缶受入口に受け入れて、受台の側に投入しようとするとき、缶投入路が受台の側に対して開放される。したがって、使用者の手指に持った空き缶を、開放状態にある缶受入口に供給する等に際し、その手指が缶受入口から缶投入路を介して受台の側に入り、押圧具と受台との間に挟まれる等の不測の事故を惹き起こし、手指を傷つけるおそれがある。
【０００７】
また、缶潰し機にあっては、押し潰した空き缶をアルミやスチール等の材質に応じて容易に分別し、その回収作業効率を一層向上することが望まれる。
【０００８】
また、缶潰し機にあっては、子供でも空き缶を喜んで回収して減容化処理する動機付けを伴うものであることが期待される。
【０００９】
本考案の課題は、子供等であっても安全に楽しく操作できる缶潰し機を提供することにある。
【００１０】
本考案の他の課題は、空き缶を材質等に応じて容易に分別できる缶潰し機を提供することにある。
【００１１】
本考案の他の課題は、空き缶を喜んで回収して減容化処理する動機付けを伴った缶潰し機を提供することにある。
【課題を解決するための手段】
【００１２】
請求項１に係る考案は、架台の内部に設置された受台と、前記架台に設けられた足踏み式レバーに加える足踏み操作力により駆動されるように、前記架台の内部に配設された押圧具と、前記架台の外界に臨む缶受入口を備え、前記缶受入口に受入れた空き缶を前記受台に投入可能にする缶投入路を備える缶投入シュートと、前記缶投入シュートの前記缶受入口及び前記缶投入路を開閉する蓋装置とを有し、前記空き缶が前記蓋装置により外界に対して開かれた前記缶投入シュートの前記缶受入口及び前記缶投入路を経て前記受台に投入され、前記空き缶が前記足踏み式レバーにより駆動される前記押圧具によって該受台との間で押し潰される缶潰し機であって、前記蓋装置は、前記缶受入口を開閉する蓋と、前記缶投入路を開閉する缶投入ゲートとを備え、前記蓋と前記缶投入ゲートとの間に外界から供給される前記空き缶を受入れる缶受入スペースを形成し、前記蓋が前記缶受入口を外界に対して開放しているとき、前記缶投入ゲートが前記缶投入路を前記受台の側に対して閉鎖するものである。
【００１３】
請求項２に係る考案は、請求項１に係る考案において更に、前記缶受入スペースに供給された前記空き缶が、前記蓋と前記缶投入ゲートの閉じ方向への移動下で、前記缶投入シュートの前記缶受入口乃至前記缶投入路に沿って移送されるとき、前記缶投入ゲートは前記缶投入シュートの少なくとも前記缶受入口寄りの内部に位置し、前記蓋と前記缶投入ゲートの閉じ方向への更なる移動下で、前記缶投入ゲートが前記缶投入路を開き、前記空き缶が前記缶投入路から前記受台の側へ投入されるとき、前記蓋は前記缶受入口を閉じるものである。
【００１４】
請求項３に係る考案は、請求項１又は２に係る考案において更に、前記蓋と前記缶投入ゲートの開き方向への移動下で、前記缶受入口を閉じていた前記蓋が前記缶投入シュートの前記缶受入口に到達するとき、前記缶投入ゲートは前記缶投入シュートの少なくとも前記缶投入路の内部に到達し、前記蓋の開き方向への更なる移動下で、前記蓋が前記缶投入シュートの前記缶受入口を外界に対して開放し、前記缶受入スペースに前記空き缶を受入れ可能にするとき、前記缶投入ゲートは前記缶投入シュートの内部に位置して前記缶投入路を閉じ続けるものである。
【００１５】
請求項４に係る考案は、請求項１乃至３のいずれかに係る考案において更に、前記蓋装置の前記蓋と前記缶投入ゲートは前記架台に設けた共通支軸に枢支されて互いに同一回転半径をもち、前記缶投入シュートは、前記蓋と前記缶投入ゲートの各先端部が小隙間を介して回動し得る円弧状の前記缶投入路を備えるとともに、前記缶受入口を経て前記缶投入路の内部に侵入してくる前記蓋の先端部に設けた取手の付根部が遊挿されて移動できるスリットを備えるものである。
【００１６】
請求項５に係る考案は、請求項１乃至４のいずれかに係る考案において更に、前記受台上で押し潰された前記空き缶を複数の払出し先のいずれかへと選択的に払い出し、該空き缶を分別可能にする缶分別装置を有するものである。
【００１７】
請求項６に係る考案は、請求項５に係る考案において更に、前記缶分別装置は、前記受台上で押し潰された前記空き缶を中立位置で受け入れる払出し具を備え、前記払出し具をハンドル操作により中立位置から所望の払出し先に応ずる所定の払出し作業位置へと切換え設定可能にするものである。
【００１８】
請求項７に係る考案は、請求項６に係る考案において更に、前記缶分別装置は、前記払出し具が中立位置にあることを示す確認手段を有するものである。
【００１９】
請求項８に係る考案は、請求項６又は７に係る考案において更に、前記缶分別装置の前記払出し具が中立位置に設定されていないときには、前記足踏み式レバーを足踏み操作不能にする手段を有してなるものである。
【００２０】
請求項９に係る考案は、請求項１乃至８のいずれかに係る考案において更に、前記足踏み式レバーの足踏み操作により一定個数の前記空き缶が押し潰される度に、情報を表示する表示手段を有してなるものである。
【００２１】
請求項１０に係る考案は、請求項１乃至９のいずれかに係る考案において更に、前記押圧具は、前記受台上に投入された横置き姿勢の前記空き缶の缶胴の中央部分を押し潰す第１押圧具と、前記第１押圧具により中央部分を押し潰された前記空き缶の該中央部分の両側で互いにハの字状をなすように傾いた上蓋部分と底蓋部分を更に押し潰す第２押圧具とを有して構成される。
【００２２】
請求項１１に係る考案は、請求項１乃至９のいずれかに係る考案において更に、前記押圧具が、前記受台上に投入された縦置き姿勢の前記空き缶を缶胴の中心軸方向に沿って押し潰すものである。
【考案の効果】
【００２３】
（請求項１）  
（Ａ）缶潰し機において、缶投入シュートを開閉する蓋装置は、蓋が缶受入口を外界に対して開放しているとき、缶投入ゲートが缶投入路を受台の側に対して閉鎖する。したがって、使用者の手指に持った空き缶を開放状態にある缶受入口に供給するに際し、その手指は、閉鎖状態にある缶投入路の存在によって受台の側への侵入を阻止され、押圧具と受台との間に挟まれる等の不測の事故を招くことがなく、手指を傷つけるおそれがない。子供等でも安全に操作して空き缶を減容化処理できる。
【００２４】
（請求項２）  
（Ｂ）蓋装置を構成する蓋と缶投入ゲートの閉じ方向への移動下で、外界と受台の側の空間との間に存在する缶投入シュートの缶受入口と缶投入路は、蓋又は缶投入ゲートの少なくとも一方によって閉鎖される。したがって、使用者の手指が缶受入口乃至缶投入路を介して受台の側へ侵入して傷つくおそれがない。
【００２５】
（請求項３）  
（Ｃ）蓋装置を構成する蓋と缶投入ゲートの開き方向への移動下で、外界と受台の側の空間との間に存在する缶投入シュートの缶受入口と缶投入路は、蓋又は缶投入ゲートの少なくとも一方によって閉鎖される。したがって、使用者の手指が缶受入口乃至缶投入路を介して受台の側へ侵入して傷つくおそれがない。
【００２６】
（請求項４）  
（Ｄ）蓋装置の蓋と缶投入ゲートは架台に設けた共通支軸に枢支されて互いに同一回転半径をもち、缶投入シュートは、蓋と缶投入ゲートの各先端部が小隙間を介して回動し得る円弧状の缶投入路を備えるとともに、缶受入口を経て缶投入路の内部に侵入してくる蓋の先端部に設けた取手の付根部が遊挿されて移動できるスリットを備える。これにより、前述（Ａ）乃至（Ｃ）を実現し得る蓋装置を簡易に形成できる。
【００２７】
（請求項５）  
（Ｅ）缶分別装置の存在により、空き缶を材質等に応じて容易に分別できる。
【００２８】
（請求項６）  
（Ｆ）缶分別装置がハンドル操作により切り替え設定される払出し具を備えることにより、前述（Ｅ）を実現し得る缶分別装置を簡易に形成できる。
【００２９】
（請求項７）  
（Ｇ）缶分別装置は、払出し具が中立位置にあることを示す確認手段を有する。使用者は、払出し具が中立位置にあることを容易に確認し、これを足踏み式レバーの操作条件として認識することにより、缶潰し機を安全に操作できる。
【００３０】
（請求項８）  
（Ｈ）缶分別装置の払出し具が中立位置に設定されていないときには、足踏み式レバーを足踏み操作不能にする手段を有する。払出し具が中立位置にないとき、使用者による足踏み式レバーの無用な操作を回避できる。
【００３１】
（請求項９）  
（Ｉ）使用者は、空き缶を押し潰すたびに、表示手段により表示された情報を楽しむことができ、空き缶を喜んで回収して減容化処理する動機付けを伴った缶潰し機とすることができる。
【００３２】
（請求項１０）  
（Ｊ）空き缶の上蓋、底蓋が、缶胴との境界に設けられる巻締部等の硬い環状部分によって押し潰し困難である場合にも、押圧具の第１押圧具、第２押圧具の２段モーションにより、それらの上蓋、底蓋を含む空き缶の全体をスムーズに押潰しできる。
【００３３】
（請求項１１）  
（Ｋ）空き缶の缶胴と上蓋、底蓋との境界に巻締部等の硬い環状部分がある場合にも、当該空き缶の全体をスムーズに押潰しできる。
【図面の簡単な説明】
【００３４】
【図１】缶潰し機の一実施例を示す模式斜視図である。
【図２】缶潰し機を示す模式正面図である。
【図３】缶潰し機を示す模式側面図である。
【図４】缶投入シュートを示し、（Ａ）は缶受け入れ段階を示す模式図であり、（Ｂ）は缶移送過程を示す模式図であり、（Ｃ）缶投入段階を示す模式図である。
【図５】情報表示手段の駆動部を示し、（Ａ）は正面図であり、（Ｂ）は（Ａ）のＢ−Ｂ線に沿う側断面図である。
【図６】缶潰し機の変形例を示す模式側面図である。
【図７】缶潰し機による缶潰し工程を示す模式図である。
【図８】缶潰し機の変形例を示す模式側面図である。
【図９】図８のＩＸ−ＩＸ線に沿う矢視側面図である。
【図１０】缶潰し機の操作ロッドと押込みロッドを示す模式図である。
【考案を実施するための形態】
【００３５】
缶潰し機１００は、図１乃至図３に示す如く、架台１０と、受台２０と、押圧具３０と、足踏み式レバー４０と、缶投入シュート５０と、蓋装置６０と、缶分別装置７０と、表示手段８０とを有する。
【００３６】
架台１０は、前面板１１、背面板１２、左右の両側板１３、１４、上面板１５、底板１６を有する概ね箱状体からなるものとされている。
【００３７】
受台２０は、架台１０の内部に設置されている。受台２０は、前後２本の受けレール２１、２２を有する。両受けレール２１、２２は、左右方向に延在されて相対するように架台１０内に設置され、それらの互いに向かい合う傾斜状両面によってＶ字状の缶受面２３を形成する。受台２０は、缶受面２３上に投入された空き缶１の缶胴１Ａが該缶受面２３上に横たわる横置き姿勢となり、その缶胴１Ａの中心軸方向が該缶受面２３上のＶ字の谷底に沿う左右方向に合致するとき、空き缶１が受台２０への適正な投入姿勢にあるものとする。
【００３８】
なお、空き缶１は、缶胴１Ａの両端に上蓋１Ｂと底蓋１Ｃを備える。２ピース缶では、缶胴１Ａと底蓋１Ｃが一体となって、缶胴１Ａの一端に巻締部１Ｄを介して上蓋１Ｂが設けられる。３ピース缶では、缶胴１Ａの両端のそれぞれに巻締部１Ｄ、１Ｅを介して上蓋１Ｂと底蓋１Ｃが設けられる。
【００３９】
押圧具３０は、架台１０に設けられた足踏み式レバー４０に加える足踏み操作により駆動されるように、架台１０の内部に配設されている。押圧具３０は、受台２０の缶受面２３に対して上下動し、缶受面２３の上に投入された空き缶１を押し潰す。
【００４０】
なお、押圧具３０は、受台２０の缶受面２３上に投入された空き缶１の缶胴１Ａの中央部分だけを押し潰してもよいが、該空き缶１の缶胴１Ａ及び上蓋１Ｂ、底蓋１Ｃの全体を押し潰してもよい。このとき、押圧具３０は、空き缶１の缶胴１Ａ及び上蓋１Ｂ、底蓋１Ｃの全体を一気に押し潰してもよく、あるいは、まず、空き缶１の缶胴１Ａを押し潰し、その後遅れて上蓋１Ｂ、底蓋１Ｃを押し潰してもよい。
【００４１】
足踏み式レバー４０は、架台１０の底板１６に設けた支持部４１に枢支される梃子状をなし、チェーン４２、リンク機構４３を介して押圧具３０を駆動可能とする。足踏み式レバー４０は、中間部を支持部４１に枢支され、架台１０の前面板１１より前方に突出する一端にペダル４０Ａを備える。チェーン４２は、架台１０に枢支したスプロケットホイール４２Ａ、４２Ｂに巻き掛けられ、チェーン４２の一端が足踏み式レバー４０のペダル４０Ａに対する他端側に連結され、チェーン４２の他端がリンク機構４３に連結される。リンク機構４３は、倍力機構を構成する２本のリンク４３Ａ、４３Ｂからなり、両リンク４３Ａ、４３Ｂの各一端を連結ピン４３Ｐでピン結合された「く」字状をなし、両リンク４３Ａ、４３Ｂの各他端の間には引張バネ４４が介装されている。リンク機構４３は、リンク４３Ａの他端を、支軸４３Ｋで架台１０に枢支され、リンク４３Ｂの他端に連結軸４３Ｌを介して押圧具３０のアーム３１をピン結合して備える。
【００４２】
押圧具３０は、アーム３１を一体化されて備え、架台１０に設けた支持部３２に枢支した回動軸３３に該アーム３１の中間部を固定し、アーム３１の押圧具３０に対する反対端にリンク機構４３のリンク４３Ｂが前述の如くにピン結合される。
【００４３】
足踏み式レバー４０、チェーン４２、リンク機構４３は、自由状態では、引張バネ４４の付勢力により、図３に実線で示した初期位置にある。使用者が足踏み式レバー４０のペダル４０Ａを足踏み操作し、図３に２点鎖線で示した操作位置に、変位せしめられると、足踏み式レバー４０は、チェーン４２を介してスプロケットホイール４２Ａ、４２Ｂを正転させてリンク機構４３の連結ピン４３Ｐを引っ張る。これにより、リンク機構４３は、引張バネ４４をその付勢力に抗して伸長させ、リンク４３Ａ、４３Ｂの連結ピン４３Ｐ周りの交差角が１８０度近くにまでなるように変位せしめられる。これによって、アーム３１には、大きな回転力が付与され、ひいては押圧具３０に大きな押圧力を及ぼして該押圧具３０を受台２０の側に移動させ、受台２０と押圧具３０の間に投入されている空き缶１を押潰し可能にする。
【００４４】
なお、足踏み式レバー４０のペダル４０Ａに対する足踏み操作が解除されると、足踏み式レバー４０は、引張バネ４４の付勢力によりチェーン４２を介してスプロケットホイール４２Ａ、４２Ｂを逆転させ、リンク機構４３、押圧具３０等は、前述した初期位置に復元される。
【００４５】
缶投入シュート５０は、架台１０における前面板１１の高さ方向上部寄りの幅方向中央部に配設され、上向きに開口して架台１０の外界に臨む缶受入口５１を備え、缶受入口５１に受け入れた空き缶１を受台２０に投入可能にする缶投入路５２を備える。缶投入シュート５０は、架台１０の前面板１１を外方から内方に貫通するように設置され、缶受入口５１と缶投入路５２の円弧状路面５２Ａとを前面板１１の外方に配設し、缶投入路５２の円弧状路面５２Ａに連続する直線状傾斜路面５２Ｂを受台２０における受けレール２１の前縁部にまで延在させている。
【００４６】
本実施形態において、缶投入シュート５０の缶受入口５１に供給される空き缶１は、缶胴１Ａの中心軸が略水平となる横置き状態とされ、缶投入路５２をそのまま横置き状態で転走され、受台２０の缶受面２３上に横置き姿勢で投入される。
【００４７】
なお、缶投入シュート５０は、缶投入路５２の路面５２Ａ、５２Ｂの両側縁部から立ち上がって缶転走領域（缶投入領域）を区画する側板５３を備える。
【００４８】
蓋装置６０は、架台１０における前面板１１に設けた缶投入シュート５０の缶受入口５１、缶投入路５２（円弧状路面５２Ａ）内に装填され、缶投入シュート５０の缶受入口５１及び缶投入路５２を開閉する。
【００４９】
したがって、缶潰し機１００にあっては、空き缶１が蓋装置６０により外界に対して開かれた缶投入シュート５０を缶受入口５１及び缶投入路５２を経て受台２０の側に投入され、この空き缶１が足踏み式レバー４０により駆動される押圧具３０により受台２０の間で押し潰され減容化処理される。
【００５０】
しかるに、缶潰し機１００において、蓋装置６０は、缶投入シュート５０の缶受入口５１を開閉する蓋６１と、缶投入シュート５０の缶投入路５２（円弧状路面５２Ａ）を開閉する缶投入ゲート６２とを備え、使用者が外界から供給する空き缶１を受け入れる缶受入スペースＡを缶投入路５２（円弧状路面５２Ａ）上の蓋６１と缶投入ゲート６２の間に形成する。
【００５１】
そして、蓋装置６０は、蓋６１が缶受入口５１を外部に対して開放しているとき、缶投入ゲート６２が缶投入路５２（円弧状路面５２Ａ）を受台２０の側に対して閉鎖する。なお、缶投入ゲート６２が缶投入路５２（円弧状路面５２Ａ）を受台２０の側に対して開くときには、蓋６１は、缶受入口５１を外界に対して閉鎖する。
【００５２】
ここで蓋装置６０は、蓋６１と缶投入ゲート６２が架台１０（前面板１１）に設けた共通支軸６３に枢支されて互いに同一回転半径ｒ（図５）を持つ。本実施形態において、蓋６１と缶投入ゲート６２は、共に板状体からなり、蓋装置６０の横断面視（図５）で、蓋６１は直線状をなし、缶投入ゲート６２は先端が外界の側に向けて凹状に湾曲したカール状をなす。
【００５３】
このとき、缶投入シュート５０は、蓋装置６０を構成する蓋６１と缶投入ゲート６２の各先端部が小隙間を介して（又は摺接して）回動し得るように、前述した如くの円弧状の缶投入路５２（円弧状路面５２Ａ）を備える。また、蓋装置６０は、蓋６１の先端部に使用者が把持できる取っ手６１Ａを備え、缶投入シュート５０の缶受入口５１を経て缶投入路５２の内部に侵入してくる蓋６１の上記取っ手６１Ａが遊挿されて移動できるスリット５４を缶投入路５２（円弧状路面５２Ａ）に備える（図４）。
【００５４】
蓋装置６０は、以下の如くに使用される。
【００５５】
（１）使用者が蓋装置６０の取っ手６１Ａを持って缶投入シュート５０の缶受入口５１を開き、手に持った空き缶１をこの缶受入口５１から缶受入スペースＡに供給した後、蓋６１と缶投入ゲート６２を閉じ方向へ回動させ、空き缶１が缶投入シュート５０の缶投入路５２に沿って移送されるとき、図４（Ａ）乃至（Ｂ）に示す如く、缶投入ゲート６２は、缶投入シュート５０、少なくとも缶受入口５１より内部に位置する。
【００５６】
このとき、缶投入ゲート６２のカール状先端は、缶投入路５２（円弧状路面５２Ａ）に小隙間を介して（又は摺接して）缶受入スペースＡを受台２０の側に開放させることがない。
【００５７】
（２）蓋装置６０の蓋６１と缶投入ゲート６２が上述（１）よりさらに閉じ方向に回動され、缶投入ゲート６２が缶投入路５２を受台２０の側に向けて開き、空き缶１が缶受入スペースＡから缶投入路５２の傾斜路面５２Ｂを経て受台２０の側へ移動して投入されるとき、図４（Ｂ）乃至（Ｃ）に示す如く、蓋６１は、缶受入口５１を閉じる。
【００５８】
このとき、蓋６１の取っ手６１Ａは、缶投入シュート５０の缶投入路５２（円弧状路面５２Ａ）に設けてあるスリット５４に遊挿されて該スリット５４内を移動し、缶投入ゲート６２は、架台１０の内部に回動しつつ侵入して缶受入スペースＡを受台２０の側に開放し、缶投入路５２（傾斜路面５２Ｂ）との間に空き缶１の転動スペースを形成する。
【００５９】
（３）蓋装置６０の蓋６１と缶投入ゲート６２が上述（２）から開き方向へ回動され、缶受入口５１を閉じていた蓋６１が缶投入シュート５０の缶受入口５１に到達するとき、図４（Ｃ）乃至（Ｂ）に示す如く、缶投入ゲート６２は、缶投入シュート５０の少なくとも缶投入路５２（円弧状路面５２Ａ）の内部に到達する。
【００６０】
このとき、缶投入ゲート６２のカール状先端は、缶投入路５２（円弧状路面５２Ａ）に小隙間を介して（又は摺接して）缶受入スペースＡを受台２０の側に対して閉鎖する。
【００６１】
（４）蓋装置６０の蓋６１が上述（３）より更に開き方向へ回動され、蓋６１が缶投入シュート５０の缶受入口５１を外界に対して開放し、缶受入スペースＡに空き缶１を投入可能にするとき、図４（Ｂ）乃至（Ａ）に示す如く、缶投入ゲート６２は、缶投入シュート５０の内部に位置して缶投入路５２を閉じ続け、缶受入スペースＡを受台２０の側に対して閉鎖し続ける。
【００６２】
缶分別装置７０は、受台２０上で押し潰された空き缶１を、例えば、アルミ缶、スチール缶等の材質等の種別に応じた複数の払出し先のいずれかへと選択的に払い出し、空き缶１を分別可能にする。
【００６３】
すなわち、缶分別装置７０は、架台１０における前面板１１の高さ方向中間部の幅方向中央部で、缶投入シュート５０の缶受入口５１、缶投入路５２の下部に、外界に臨んで枢支されるハンドル７１と、架台１０に設けた中央軸受け７２Ａに支持されているハンドル７１の回動軸７２に固定される駆動ギア７３と、架台１０に設けた左右軸受け７４Ａ、７４Ｂに支持される左右の従動ギア７４Ｌ、７４Ｒと、駆動ギア７３及び従動ギア７４Ｌ、７４Ｒに巻き回されるチェーン７５とを有する。
【００６４】
缶分別装置７０は、受台２０上で押し潰された空き缶１を中立位置で受け入れる払出し具７６を備え、この払出し具７６を使用者が加えるハンドル７１の操作により中立位置から所望の払出し先に応ずる所定の払出し作業位置へと切り替え設定可能にする。
【００６５】
すなわち、缶分別装置７０は、両従動ギア７４Ｌ、７４Ｒの中間部に位置するチェーン７５の上面の左右二位置に左右の払出し爪７６Ｌ、７６Ｒを固定して備え、これらの払出し爪７６Ｌ、７６Ｒによって払出し具７６を構成する。缶分別装置７０は、ハンドル７１の中立回転位置からの左右回転によって各払出し爪７６Ｌ、７６Ｒを受台２０の２本の受けレール２１、２２の缶受面２３が形成する谷間内にて、図２に示した中立位置から左右の払出し作業位置へと移動操作するものである。
【００６６】
ここで、缶分別装置７０は、架台１０における前面板１１の幅方向中央部に設けたボールプランジャー１１Ｐにハンドル７１に設けた凹み部７１Ｐをその回転操作過程で嵌合させることにより、ハンドル７１を中立回転位置に維持可能にしている。
【００６７】
したがって、使用者が足踏み式レバー４０の足踏み操作によって受台２０上の例えば、アルミ缶又はスチール缶の空き缶１を押し潰した後、ハンドル７１を左回転することによって左右の払出し爪７６Ｌ、７６Ｒを中立位置から左方又は右方の各払出し作業位置へと移動することで、受台２０上にて押し潰されている空き缶１が左右の払出しシュート７７Ｌ、７７Ｒ上を、架台１０内に用意されている、例えば、アルミ缶用箱７８Ｌ、スチール缶用箱７８Ｒに向けて分別されて払い出される。両箱７８Ｌ、７８Ｒは、架台１０の外部に取出し可能にされており、架台１０に設けてある不図示の扉の開閉を介して押潰し処理された空き缶１を外部に取出しできる。
【００６８】
缶分別装置７０は、払出し具７６（払出し爪７６Ｌ、７６Ｒ）が中立位置にあることを示す確認手段７９を有する。本実施形態において、確認手段７９は、ハンドル７１に固定した針７９Ａにて構成され、針７９Ａが架台１０における前面板１１の幅方向中央部に設けた中立表示マーク７９Ｂに合致することを視認した使用者は、払出し具７６が中立位置にあることを確認でき、受台２０上に新たな空き缶１を投入でき、更には、足踏み式レバー４０を足踏み操作して空き缶１を押潰し処理できる。これによって、押し潰された空き缶１が受台２０上での不測の残留を生じ、受台２０上にて減容化処理済みの空き缶１の上に新たな空き缶１が投入されることを回避する。
【００６９】
なお、缶分別装置７０は、電気制御手段等により、払出し具７６が中立位置に設定されていないときには、足踏み式レバー４０を足踏み操作不能にすることもできる。
【００７０】
また、缶潰し機１００は、内部の受台２０、押圧具３０等の動作状態を使用者によって架台１０の外部から確認する手段を備える。この手段は、例えば、架台１０の前面板１１等に設けた透明窓９０にて構成できる。
【００７１】
表示手段８０は、架台１０における上面板１５の上部等に配置され、足踏み式レバー４０の足踏み操作により一定個数（本実施形態では１個）の空き缶１が押し潰されるたびに、使用者に対しておみくじ等のメッセージ（情報）を表示する。
【００７２】
本実施形態では、足踏み式レバー４０の足踏み操作により受台２０の缶受面２３に対して上下動する押圧具３０のアーム３１が固定されている回動軸３３に設けたスプロケットホイール３３Ａと、表示手段８０の架台１０に設けた支持部８１に枢支した被動軸８２周りに空転自在に支持させたフリーホイール８３と一体のスプロケットホイール８３Ａにチェーン８４を巻き回し、足踏み式レバー４０の足踏み操作のたびに正逆転する回動軸３３の回転をフリーホイール８３に伝え、このフリーホイール８３を被動軸８２周りで正逆転させる。一方、表示手段８０は、被動軸８２に被動ギア８２Ａを固定し、フリーホイール８３に設けたラチェット８３Ｂを該フリーホイール８３の正転時にのみ被動ギア８２Ａに係止可能にしている。
【００７３】
したがって、足踏み式レバー４０の足踏み操作により回動軸３３が正転したときに被動ギア８２Ａ及び被動軸８２は、一定角度だけ正転し、その足踏み操作を解除して回動軸３３が逆転したときには、被動ギア８２Ａ及び被動軸８２が回転せずに一定の回転角度位置に留まるものとされる。表示手段８０は、被動軸８２の周囲に固定した表示ドラム８５の一定回転角度を介する複数位置のそれぞれにメッセージ表示部８５Ａを設け、被動軸８２が一定の回転角度位置に設定されるたびにそれらのメッセージ表示部８５Ａを順に、表示手段８０の被覆カバー８６の前面に設けた表示窓８７内に位置付け、そのメッセージを使用者に視認させる。
【００７４】
なお、缶潰し機１００の使用方法、注意事項等を記載した操作説明板８８が、架台１０の上面板１５の上部等における表示手段８０の前面等に設けられている。
【００７５】
缶潰し機１００は、足踏み式レバー４０のペダル４０Ａ、缶投入シュート５０の缶受入口５１及び缶投入路５２の一部、蓋装置６０の蓋６１、缶分別装置７０のハンドル７１、表示手段８０の被覆カバー８６等を架台１０の外部に配置している。他方、受台２０、押圧具３０、足踏み式レバー４０のチェーン４２、スプロケットホイール４２Ａ、４２Ｂ、リンク機構４３、引張バネ４４、缶分別装置７０の駆動ギア７３、チェーン７５、払出し具７６、箱７８Ｌ、７８Ｒ、表示手段８０の被動軸８２、表示ドラム８５等の駆動部分を架台１０の内部に配置し、使用者がそれらの駆動部分に触れることのないものとしている。
【００７６】
使用者は、缶潰し機１００を以下の如くに使用するものになる。
【００７７】
（１）蓋装置６０の蓋６１、缶投入ゲート６２によって開放された缶投入シュート５０（缶受入口５１、缶投入路５２）を介して空き缶１を受台２０に投入する。
【００７８】
（２）空き缶１が受台２０に投入済みとされたことを架台１０の例えば、前面板１１に設けた空き缶投入状態確認用透明窓９０を通して確認等した後、足踏み式レバー４０のペダル４０Ａを足踏み操作する。これにより、押圧具３０は、受台２０上の空き缶１を押し潰す。
【００７９】
（３）缶分別装置７０のハンドル７１を回転操作して払出し具７６を中立位置から払出し作業位置へ移動し、受台２０上で押し潰された空き缶１を、払出し具７６によりその材質等に応じて左右の箱７８Ｌ、７８Ｒ等に払い出す。払出し具７６は、その後のハンドル７１の操作により中立位置に復元される。
【００８０】
このとき、表示手段８０の表示窓８７に表示された表示ドラム８５に記載の情報を視認して楽しむ。
【００８１】
したがって、本実施形態に係る缶潰し機１００によれば、以下の作用効果を奏する。
【００８２】
（Ａ）缶潰し機１００において、缶投入シュート５０を開閉する蓋装置６０は、蓋６１が缶受入口５１を外界に対して開放しているとき、缶投入ゲート６２が缶投入路５２を受台２０の側に対して閉鎖する。したがって、使用者の手指に持った空き缶１を開放状態にある缶受入口５１に供給するに際し、その手指は、閉鎖状態にある缶投入路５２の存在によって受台２０の側への侵入を阻止され、押圧具３０と受台２０との間に挟まれる等の不測の事故を招くことがなく、手指を傷つけるおそれがない。子供でも安全に操作して空き缶１を減容化処理できる。
【００８３】
（Ｂ）蓋装置６０を構成する蓋６１と缶投入ゲート６２の閉じ方向への移動下で、外界と受台２０の側との空間との間に存在する缶投入シュート５０の缶受入口５１と缶投入路５２は、蓋６１又は缶投入ゲート６２の少なくとも一方によって閉鎖される。したがって、使用者の手指が缶受入口５１乃至缶投入路５２を介して受台２０の側へ侵入して傷つくおそれがない。
【００８４】
（Ｃ）蓋装置６０を構成する蓋６１と缶投入ゲート６２の開き方向への移動下で、外界と受台２０の側の空間との間に存在する缶投入シュート５０の缶受入口５１と缶投入路５２は、蓋６１又は缶投入ゲート６２の少なくとも一方によって閉鎖される。したがって、使用者の手指が缶受入口５１乃至缶投入路５２を介して受台２０の側へ侵入して傷つくおそれがない。
【００８５】
（Ｄ）蓋装置６０の蓋６１と缶投入ゲート６２は架台１０に設けた共通支軸６３に枢支されて互いに同一回転半径ｒをもち、缶投入シュート５０は、蓋と缶投入ゲート６２の各先端部が小隙間を介して回動し得る円弧状の缶投入路５２を備えるとともに、缶受入口５１を経て缶投入路５２の内部に侵入してくる蓋６１の先端部に設けた取手の付根部が遊挿されて移動できるスリット５４を備える。これにより、前述（Ａ）乃至（Ｃ）を実現し得る蓋装置６０を簡易に形成できる。
【００８６】
（Ｅ）缶分別装置７０の存在により、空き缶１を材質等に応じて容易に分別できる。
【００８７】
（Ｆ）缶分別装置７０がハンドル７１操作により切り替え設定される払出し具７６を備えることにより、前述（Ｅ）を実現し得る缶分別装置７０を簡易に形成できる。
【００８８】
（Ｇ）缶分別装置７０は、払出し具７６が中立位置にあることを示す確認手段７９を有する。使用者は、払出し具７６が中立位置にあることを容易に確認し、これを足踏み式レバー４０の操作条件として認識することにより、缶潰し機１００を安全に操作できる。
【００８９】
（Ｈ）缶分別装置７０の払出し具７６が中立位置に設定されていないときには、足踏み式レバー４０を足踏み操作不能にする手段を有する。払出し具７６が中立位置にないとき、使用者による足踏み式レバー４０の無用な操作を回避できる。
【００９０】
（Ｉ）使用者は、空き缶１を押し潰すたびに、表示手段８０により表示された情報を楽しむことができ、空き缶１を喜んで回収して減容化処理する動機付けを伴った缶潰し機１００とすることができる。
【００９１】
図６は、缶潰し機１００の変形例にかかる缶潰し機１００Ａを示し、図１乃至図５に示した缶潰し機１００におけると異なる部分のみを説明するための模式図であり、図６に示した以外の部分は、缶潰し機１００におけると同様である。
【００９２】
缶潰し機１００Ａは、缶潰し機１００の押圧具３０に対応する押圧具１３０が、受台２０の缶受面２３上に投入された横置き姿勢の空き缶１の缶胴１Ａの中央部分を押し潰す第１押圧具１３１と、第１押圧具１３１により中央部分を押し潰された空き缶１の中央部分の両側で互いにハの字状をなすように傾いた上蓋１Ｂ部分と底蓋１Ｃ部分をさらに押し潰す第２押圧具１３２を有して構成される。
【００９３】
第１押圧具１３１と第２押圧具１３２は、缶潰し機１００におけると同様のアーム３１の先端に設けた取付板１３３の下面中央部に第１押圧具１３１を設け、その両側に第２押圧具１３２を設けている。
【００９４】
第１押圧具１３１は、取付板１３３に固定した支持棒１３１Ａに装填された押圧ヘッド１３１Ｂを有し、支持棒１３１Ａ周りの取付板１３３と押圧ヘッド１３１Ｂとの間に圧縮バネ１３１Ｃを介装している。他方、第２押圧具１３２は、取付板１３３に固定され、第１押圧具１３１は、圧縮バネ１３１Ｃの付勢力により、押圧ヘッド１３１Ｂの先端押圧面を第２押圧具１３２の押圧面より常時突出させる。
【００９５】
これにより、缶潰し機１００Ａによる空き缶１の押潰し動作は、以下の如くになる。
【００９６】
（１）足踏み式レバー４０が初期位置にあるとき、図７（Ａ）に示す如く、押圧具１３０の第１押圧具１３１、第２押圧具１３２は、受台２０の缶受面２３上にある空き缶１の上方に待機している。
【００９７】
（２）足踏み式レバー４０が足踏み操作され、押圧具１３０が空き缶１を押し潰す第１段階では、図７（Ｂ）に示す如く、アーム３１の回転とともに受台２０の側に移動してくる第１押圧具１３１が受台２０上にある空き缶１の缶胴１Ａの中央部分にまず当たり、圧縮バネ１３１Ｃによって付勢されている押圧ヘッド１３１Ｂの先端押圧面が当該中央部分を押し潰す。このとき、空き缶１の上蓋１Ｂ、底蓋１Ｃは、缶胴１Ａの両側で、押し潰される前の缶胴１Ａの中心軸に対し、互いにハの字状をなすように傾く。
【００９８】
（３）足踏み式レバー４０が、更に足踏み操作され、押圧具１３０が空き缶１を更に押し潰す第２段階では、図７（Ｃ）に示す如く、アーム３１のさらなる回転とともに受台２０の側に更に移動してくる第２押圧具１３２が、受台２０上にある空き缶１の互いにハの字状をなして下向きに傾いている上蓋１Ｂ、底蓋１Ｃの各上縁部に当たり、それらの上蓋１Ｂ、底蓋１Ｃを缶胴１Ａの上に押し潰す。このとき、第１押圧具１３１の押圧ヘッド１３１Ｂは、圧縮バネ１３１Ｃを縮めながら両側の第２押圧具１３２の間に押し込まれる。
【００９９】
このようにして、受台２０上で押し潰された空き缶１は、缶潰し機１００におけると同様にして缶分別装置７０の払出し具７６によって払い出される。
【０１００】
缶潰し機１００Ａによれば、以下の作用効果を奏する。
【０１０１】
空き缶１の上蓋１Ｂ、底蓋１Ｃが缶胴１Ａとの境界に設けられる巻締部等の硬い環状部分の存在により、前述した缶潰し機１００の押圧具３０によっては押潰し困難である場合にも、第１押圧具１３１と第２押圧具１３２の２段モーションにより、それらの上蓋１Ｂ、底蓋１Ｃを含む空き缶１の全体をスムーズに押潰しできる。
【０１０２】
図８、図９は、缶潰し機１００の更に他の変形例に係る缶潰し機１００Ｂを示し、図１乃至図５に示した缶潰し機１００におけると異なる部分のみを説明するための模式図であり、図８、図９に示した以外の部分は缶潰し機１００におけると同様である。
【０１０３】
缶潰し機１００Ｂは、缶潰し機１００の押圧具３０に対応する押圧具２３０が、受台２０上に投入された縦置き姿勢の空き缶１を缶胴１Ａの中心軸方向に押し潰す。
【０１０４】
このとき、缶潰し機１００の缶投入シュート５０に対応する缶投入シュート２５０の缶受入口２５１に供給される空き缶１は、図８に示す如く、缶胴１Ａの中心軸を概ね鉛直とする縦置き状態とされ、缶投入路２５２をそのまま縦置き状態で落下し、缶投入受面２５２Ａ上に縦置き姿勢で到達する。この缶投入受面２５２Ａ上に到達した空き缶１は、架台１０における前面板１１の前面に配設されている押込み具２５３によって受台２０の缶受面２３上に押し込み、投入される。缶潰し機１００Ｂは、缶潰し機１００の押圧具３０に対応する押圧具２３０が、缶潰し機１００におけると同様のアーム３１の先端長孔部に挿通ピンを介して連結された取付板２３１の下面中央部に設けられている。押圧具２３０は、缶潰し機１００におけると同様の支持部３２に設けたガイド２３２に案内されて上下動し、その押圧ヘッド２３３により受台２０の缶受面２３上に投入されている空き缶１の上蓋１Ｂ又は底蓋１Ｃを缶受面２３との間で押圧し、その缶胴１Ａの中心軸に沿う縦方向にて該空き缶１を押潰し可能にする。
【０１０５】
ここで、缶潰し機１００Ｂは、押圧具２３０を構成している取付板２３１の下面の左右両側に左右の操作ロッド２３４を固定するとともに、受台２０の缶受面２３上に投入された空き缶１の周囲に缶成形カバー２３５を設けている。更に、缶成形カバー２３５の左右両側部に設けたガイド筒２３５Ａには左右の押込みロッド２３６が配設され、前述の操作ロッド２３４が押込みロッド２３６に設けたスリット２３６Ａ（図１０）に挿入され、操作ロッド２３４の張出カム２３４Ａ（図１０）がスリット２３６Ａの先端部に衝合することにより、押込みロッド２３６を缶成形カバー２３５の内部に押し込むものとしている。
【０１０６】
すなわち、缶潰し機１００Ｂでは、アーム３１の回転によって押圧具２３０が下降し、押圧ヘッド２３３が缶成形カバー２３５内の空き缶１に当たるときに、左右の押込みロッド２３６が缶成形カバー２３５の内部にある空き缶１の両側部を内方へ突き押すことで、空き缶１を押圧ヘッド２３３によってその缶胴１Ａの中心軸に沿う縦方向にスムーズに押潰し可能にするものである。
【０１０７】
受台２０上で押し潰された空き缶１は、缶潰し機１００におけると同様にして缶分別装置７０の払出し具７６により払い出される。
【０１０８】
缶潰し機１００Ｂによれば、以下の作用効果を奏する。
【０１０９】
空き缶１の缶胴１Ａと上蓋１Ｂ、底蓋１Ｃとの境界に巻締部等の硬い環状部分がある場合にも、当該空き缶１の全体をスムーズに押潰しできる。
【０１１０】
以上、本発明の実施例を図面により詳述したが、本発明の具体的な構成はこの実施例に限られるものではなく、本発明の要旨を逸脱しない範囲の設計の変更等があっても本発明に含まれる。例えば、缶潰し機１００は、押圧具３０の駆動方式として足踏み式レバー４０を用いるものに限定されない。また、足踏み式レバー４０から押圧具３０への缶潰し操作力伝導機構としてチェーン４２、リンク機構４３等を用いるものに限定されない。
【０１１１】
また、缶潰し機１００は、蓋装置６０として、架台１０に枢支された回転式の蓋６１、缶投入ゲート６２を用いるものに限定されない。
【０１１２】
また、缶潰し機１００は、缶分別装置７０として、手動回転されるハンドル７１を用いたり、受台２０からの空き缶１の払出し先を左右両方向とする左右払い出し方式を用いたりするものに限定されない。
【０１１３】
また、缶潰し機１００は、表示手段８０の駆動源として、足踏み式レバー４０等の缶潰し操作力を用いるものに限定されない。
【産業上の利用可能性】
【０１１４】
本考案によれば、子供等であっても安全に楽しく操作できる缶潰し機を得ることができる。
【０１１５】
本考案によれば、空き缶を材質等に応じて容易に分別できる缶潰し機を得ることができる。
【０１１６】
本考案によれば、空き缶を喜んで回収して減容化処理する動機付けを伴った缶潰し機を得ることができる。
【符号の説明】
【０１１７】
１・・・空き缶
１０・・・架台
２０・・・受台
３０、１３０、１３１、１３２、２３０・・・押圧具
４０・・・足踏み式レバー
５０、１５０・・・缶投入シュート
５１・・・缶受入口
５２・・・缶投入路
６０・・・蓋装置
６１・・・蓋
６２・・・缶投入ゲート
７０・・・缶分別装置
７６・・・払出し具
７９・・・確認手段
８０・・・表示手段
１００、１００Ａ、１００Ｂ・・・缶潰し機
Ａ・・・缶受入スペース
【図１】
0003231206.tif 000003
【図２】
0003231206.tif 000004
【図３】
0003231206.tif 000005
【図４】
0003231206.tif 000006
【図５】
0003231206.tif 000007
【図６】
0003231206.tif 000008
【図７】
0003231206.tif 000009
【図８】
0003231206.tif 000010
【図９】
0003231206.tif 000011
【図１０】
0003231206.tif 000012